(57)【要約】【課題】蓋板をロックするための係止片の根元側の切込みによる印刷領域やラベル貼付領域の有効面積の減少を抑えるようにし、さらには係止片によってロックがかかることによって開梱し難くなり、内容物が落下することがないようにし、また開梱し難くすることによって、ユーザが間違って底面側蓋板を開梱しないようにした包装箱を提供する。【解決手段】底面側蓋板２０とその先端側の挿入片２３との境界部に形成されるスリット状係止孔８３に挿入される係止片２９の構造を、両端が傾斜面７６から構成され、さらに中間位置に折曲げ線７７を形成し、しかもこの係止片２９の根元側の部分であって両側の逆傾斜部７８の終端に円弧状切込み７９を形成する。【選択図】図９
2007331832.tif 000002
【特許請求の範囲】
【請求項１】
開口部を蓋板によって閉塞するようにした包装箱において、
前記蓋板の先端部に折曲げ線を介して折曲げ可能に連設された挿入片と、
前記挿入片の根元側の折曲げ線に沿って形成されたスリット状の係止孔と、
両側が傾斜部になっておりかつ中間位置に横方向の折曲げ線が形成され、側板の端部に連設されている係止片と、
を具備し、前記係止片を閉じられた前記蓋板の前記挿入片の根元側の前記スリット状の係止孔に挿入して係止することにより前記蓋板をロックすることを特徴とする包装箱。
【請求項２】
前記挿入片の根元側の折曲げ線に沿って切込みが形成れるとともに、該切込みの中間部分が両側の斜めの切込みを介して前記挿入片の先端側に偏倚しており、前記挿入片を前記折曲げ線のところで折曲げると、スリット状の係止孔が形成されることを特徴とする請求項１に記載の包装箱。
【請求項３】
前記係止片の根元側であってその両側にそれぞれ円弧状の切込みが形成され、該切込みが前記スリット状の係止孔を形成するための斜めの切込みによって形成される前記挿入片と同一平面を構成する側壁によって係止されることを特徴とする請求項２に記載の包装箱。
【請求項４】
板紙によって組立てられる直方体状の包装箱であって、前記蓋板によって底部の開口が閉塞されることを特徴とする請求項１に記載の包装箱。
【請求項５】
前記係止片の両側の根元側に切込みが存在しないことを特徴とする請求項１に記載の包装箱。
【請求項６】
天面側の開口部と底面側の開口部とをそれぞれ蓋板によって閉塞するようにした包装箱において、
前記底面側の開口部を閉塞する蓋板の先端部に折曲げ線を介して折曲げ可能に連設された挿入片と、
前記挿入片の根元側の折曲げ線に沿って形成されたスリット状の係止孔と、
両側が傾斜部になっておりかつ中間位置に横方向の折曲げ線が形成され、側板の下端部に連設されている係止片と、
を具備し、前記係止片を閉じられた前記蓋板の前記挿入片の根元側の前記スリット状の係止孔に挿入して係止することにより前記底面側の開口部を閉塞する蓋板をロックすることを特徴とする包装箱。
【請求項７】
前記底面側の蓋板を備える側板とは反対側の側板の下端に補助受板が連設され、該補助受板が前記蓋板に対して所定の間隔を隔てて配され、梱包される物品を緩衝することを特徴とする請求項６に記載の包装箱。
【請求項８】
前記天面側の開口部を上端に連設した側板の両側の側板の上端にそれぞれ板状体が連設され、該板状体を折曲げて前記補助受板上に緩衝体が組立てられることを特徴とする請求項７に記載の包装箱。
【発明の詳細な説明】
【技術分野】
【０００１】
本発明は包装箱に係り、とくに開口部を蓋体によって閉塞するようにした包装箱に関する。
【背景技術】
【０００２】
各種の物品、例えば電子機器を梱包して物流販売に供するために、従来より包装箱が広く用いられている。一般に包装箱は板紙によって直方体状に形成され、その上部開口および底部開口をそれぞれ対応する蓋板によって閉塞するようにしており、蓋板はロック片によってロックされ、これによって閉じた状態に維持される。
【０００３】
例えば実開昭５８−６５２１１号公報には、ふたの側縁の先端近くに折曲げ可能に取り付けられたフラップをもち、フラップの基部の少くとも一方に凹みを設けてあり、ふたを閉めたときにカートン本体の折り込み板のフラップと対応する位置に差し込み孔を設けた改良フラップ付カートンが開示されている。そして上記フラップの根元側には、このフラップの側縁を延長するように切込みが設けられている。
【０００４】
図１１および図１２は従来の蓋板１の一般的なロックの構成を示しており、側板２の上縁側に係止片３を設けるようにし、この係止片３を蓋板１の先端側に形成された挿入片４の根元側の部分のスリット状係止孔５に挿入するようにしている。そしてここでも、係止片３がスリット状係止孔５に正しく挿入されるように、係止片３の側縁の延長上に切込み６が形成されるようになっている。
【０００５】
すなわち従来の差込み式の蓋板１のロック機構の場合には、下部に切込み７を入れている。切込み７を入れることによって、係止片３の差込み易さが改善されるものの、切込み６の周辺部には文字がかからないように配慮し、これによって印刷範囲が狭まっていた。すなわち図１２に示すように、切込み６の両側およびその終端の下側の位置であって斜線を施した部分には印刷を施すことができなくなっている。またラベルを貼付しても、切込み６が形成された部分は、輸送等の振動の際に切れてしまうことがあるために、ラベルを貼付ける有効面積が減ってしまう欠点があった。
【特許文献１】実開昭５８−６５２１１号公報
【特許文献２】実公昭４２−１１４６９号公報
【発明の開示】
【発明が解決しようとする課題】
【０００６】
本願発明の課題は、蓋板を係止するための係止片の根元側の部分に切込みが存在しない包装箱を提供することである。
【０００７】
本願発明の別の課題は、蓋板を係止する係止片の根元側の切込みによって印刷やラベル貼付等のための有効面積が減少しないようにした包装箱を提供することである。
【０００８】
本願発明のさらに別の課題は、蓋板を閉じた状態でロックする係止片によって、閉じた蓋板が簡単に開くことがなく、これによって内部に収納された内容物が脱落しないようにした包装箱を提供することである。
【０００９】
本願発明のさらに別の課題は、底面側の開口部を覆う蓋板が開き難いようにし、これによって底面側の開口部から開口しないようにした包装箱を提供することである。
【００１０】
本願発明の上記の課題および別の課題は、以下に述べる本願発明の技術的思想、およびその実施の形態によって明らかにされる。
【課題を解決するための手段】
【００１１】
本願の主要な発明は、開口部を蓋板によって閉塞するようにした包装箱において、
前記蓋板の先端部に折曲げ線を介して折曲げ可能に連設された挿入片と、
前記挿入片の根元側の折曲げ線に沿って形成されたスリット状の係止孔と、
両側が傾斜部になっておりかつ中間位置に横方向の折曲げ線が形成され、側板の端部に連設されている係止片と、
を具備し、前記係止片を閉じられた前記蓋板の前記挿入片の根元側の前記スリット状の係止孔に挿入して係止することにより前記蓋板をロックすることを特徴とする包装箱に関するものである。
【００１２】
ここで、前記挿入片の根元側の折曲げ線に沿って切込みが形成れるとともに、該切込みの中間部分が両側の斜めの切込みを介して前記挿入片の先端側に偏倚しており、前記挿入片を前記折曲げ線のところで折曲げると、スリット状の係止孔が形成されてよい。また前記係止片の根元側であってその両側にそれぞれ円弧状の切込みが形成され、該切込みが前記スリット状の係止孔を形成するための斜めの切込みによって形成される前記挿入片と同一平面を構成する側壁によって係止されてよい。また板紙によって組立てられる直方体状の包装箱であって、前記蓋板によって底部の開口が閉塞されてよい。また前記係止片の両側の根元側に切込みが存在しないことが望ましい。
【００１３】
本願の別の主要な発明は、天面側の開口部と底面側の開口部とをそれぞれ蓋板によって閉塞するようにした包装箱において、
前記底面側の開口部を閉塞する蓋板の先端部に折曲げ線を介して折曲げ可能に連設された挿入片と、
前記挿入片の根元側の折曲げ線に沿って形成されたスリット状の係止孔と、
両側が傾斜部になっておりかつ中間位置に横方向の折曲げ線が形成され、側板の下端部に連設されている係止片と、
を具備し、前記係止片を閉じられた前記蓋板の前記挿入片の根元側の前記スリット状の係止孔に挿入して係止することにより前記底面側の開口部を閉塞する蓋板をロックすることを特徴とする包装箱に関するものである。
【００１４】
ここで、前記底面側の蓋板を備える側板とは反対側の側板の下端に補助受板が連設され、該補助受板が前記蓋板に対して所定の間隔を隔てて配され、梱包される物品を緩衝するようにしてよい。また前記天面側の開口部を上端に連設した側板の両側の側板の上端にそれぞれ板状体が連設され、該板状体を折曲げて前記補助受板上に緩衝体が組立てられてよい。
【００１５】
本願発明の好ましい態様は、蓋板を開かないように係止するための係止片の両側の延長上に切込みを入れないでしかも挿入が可能な形状とし、切込みがあることにより不可能だった記載やラベル貼付等を可能にし、個装カートンを構成する包装箱のとくに係止片の根元側の部分の印刷有効範囲を広げるようにする。また係止片によって蓋板を閉じた状態でロックした後は、再度係止片が外れ難いようにし、これによって購入したユーザが誤開封をしたり、それに伴う内容物の落下等の防止を行うようにしたものである。
【００１６】
このような構成によると、とくに係止片の根元側の部分に切込みがなくなることによって、印刷やラベル貼付等の有効面積が広がる。また切込みが根元側にない係止片によってロックすることにより、蓋板が開口し難く、中に充填された物品が落下することがなくなる。また蓋板を開き難くすることによって、購入したユーザが間違って反対側から開口しないようになる。
【発明の効果】
【００１７】
本願の主要な発明は、開口部を蓋板によって閉塞するようにした包装箱において、蓋板の先端部に折曲げ線を介して折曲げ可能に連設された挿入片と、挿入片の根元側の折曲げ線に沿って形成されたスリット状の係止孔と、両側が傾斜部になっておりかつ中間位置に横方向の折曲げ線が形成され、側板の端部に連設されている係止片と、を具備し、係止片を閉じられた蓋板の挿入片の根元側のスリット状の係止孔に挿入して係止することにより蓋板をロックするようにしたものである。
【００１８】
従ってこのような包装箱によると、両側が傾斜部になっておりかつ中間位置に横方向の折曲げ線が形成された係止片を閉じられた蓋板の挿入片の根元側のスリット状の係止孔に挿入することによって、この係止片によって蓋板を閉じた状態でロックすることが可能になる。とくに係止片の両側の傾斜部と中間位置の折曲げ線とによって、この係止片の根元側の部分にその側縁に沿った切込みを形成することなく蓋板をロックできるようになる。そして切込みを形成しないことによって、印刷可能範囲を広げ、あるいはまたラベルを貼付する有効面積が拡大される。しかも切込みを根元側に形成しないことによって係止片が抜け難くなり、これによって誤開封を防止でき、内容物の脱落事故が防止されることになる。
【発明を実施するための最良の形態】
【００１９】
以下本願発明を図示の一実施の形態によって説明する。図１は本実施の形態の包装箱を組立てるための板紙１０を示している。この板紙１０は、横方向に互いに連続された前面側側板１１、背面側側板１２、右側側板１３、左側側板１４を備え、これらが折曲げ線１５を介して互いに連結されている。なお側板１１〜１４の連結順位は、１３、１１、１４、１２の順になっている。そして背面側側板１２の左端側には、折曲げ線１６を介して接合片１７が連設されている。
【００２０】
上記前面側側板１１の下端側には底面側蓋板２０が折曲げ線２１を介して連設されている。そしてこの底面側側板２０の先端側には折曲げ線２２を介して挿入片２３が連設されるとともに、この挿入片２３の根元側の部分が切込み２４になっている。
【００２１】
背面側側板１２の下端側には折曲げ線２８を介して係止片２９が切込みによって形成されている。そして上記係止片２９を切込んで形成した残余の部分が連結板３０になっている。連結板３０の先端側には折曲げ線３１を介して補助受板３２が連設されている。そして補助受板３２の下端側には折曲げ線３３を介して支持片３４が連設されている。また補助受板３２の中間部分には円形孔３５が形成されている。
【００２２】
次に右側側板１３の下端側および左側側板１４の下端側にはそれぞれ折曲げ線３９を介して補助フラップ４０が連設されている。なお補助フラップ４０の先端側であってその側部が切欠かれて切欠き４１になっている。
【００２３】
上記背面側側板１２の上端側には折曲げ線４４を介して天面側蓋板４５が配されている。そしてこの天面側蓋板４５の先端側には折曲げ線４６を介して挿入片４７が連設されている。そして挿入片４７の根元側であって上記折曲げ線４６に沿って切込み４８が形成されている。
【００２４】
これに対して前面側側板１１の上端側には折曲げ線５２が連設されるとともに、この折曲げ線５２を横切るようにほぼコ字状の切込み５３が形成されている。この切込み５３の内側がロック片５４になっている。そしてロック片５４には一対の折曲げ線５５、５６が形成されている。
【００２５】
そして上記ロック片５４が形成された領域の残余の部分であって折曲げ線５２の先端側の部分に内蓋５７が連設されている。そして内蓋５７の先端側には折曲げ線５８を介して挿入片５９が連設されている。また上記折曲げ線５８を横切るように、内蓋５７と挿入片５９との間に円形孔６０が形成されている。また上記ロック片５４の両側であって上記折曲げ線５２の延長位置には切込み６１が形成されている。
【００２６】
次に左右の側板１３、１４の上端側の構成について説明すると、これらの側板１３、１４の上端には折曲げ線６３を介して板状体６４が連設されている。板状体６４は、その根元側から先端側に向かって３本の折曲げ線６５、６６、６７を備えるとともに、上記折曲げ線６５を横切るように互いに平行な一対の切込み６８が形成されている。そして両側の切込みを連結するように、折曲げ線６９が形成されている。またこの板状体６４の先端側であってその中央部にはほぼコ字状をなす切欠き７０が形成されている。
【００２７】
次にこのような板紙１０を用いて包装箱を組立てる動作を図２〜図４によって説明する。図２に示すように、４枚の側板１１、１２、１３、１４によって板紙１０で筒体を形成し、とくに背面側側板１２の一端の接合片１７を反対側の右側側板１３に接合する。これによって４枚の側板１１〜１４によって四角筒状の輪郭が形成される。
【００２８】
このような組立てによって、前面側側板１１の上端には内蓋５７が、下端側には底面側側板２０が連設される。また背面側側板１２の上端には天面側蓋板４５が、下端側には補助受板３２が連設される。また左右の側板１３、１４の上端には板状体６４が連設され、下端側には補助フラップ４０が連設される。
【００２９】
次に図３に示すように、上部開口の内側に、両側の板状体６４によって緩衝部を形成する。この緩衝部は、左右側板１３、１４の上端側の板状体６４を折曲げ線６５、６６、６７のところで折曲げるようにし、折曲げ線６５を横切る互いに平行な一対の切込み６８と切欠き７０とによって、折曲げられた板状体６４の上部に凹部７３を形成する。この凹部７３が、被梱包物品、例えば電子機器を受入れる空間になる。
【００３０】
次に４枚の側板１１〜１４によって構成される箱体の底部側の蓋板２０の内側の構造について説明する。背面側側板１２の下端側の部分に連結板３０を介して取付けられている補助受板３２によって高さ方向の緩衝部を形成する。この補助受板３２による緩衝構造は、連結板３０を折曲げ線２８のところで内側へ折曲げるとともに、連結板３０の先端側の折曲げ線３１のところで補助受板３２を折曲げるようにし、さらに補助受板３２の先端側の折曲げ線３３の部分で、支持片３４を前面側側板１１の内側に沿って直立させる。これによって底面側蓋板２０の内側に、支持片３４および連結板３０の高さに相当する空間を隔てて補助受板３２が底面側蓋板２０と平行に配されるようになり、このような補助受板３２によって高さ方向の緩衝が可能になる。
【００３１】
このような包装箱のとくに天面側蓋板４５のロックの構造は図５に示すようになっており、この天面側蓋板４５を折曲げ線４４のところで回動させて上部開口を閉じるようにし、しかもこの天面側蓋板４５の先端側の挿入片４７を前面側側板１１の内側であって前面側側板１１の上端に形成されている内蓋５７の根元部分の切込み６１のところに挿入する。これによって天面側蓋板４５は閉じた状態に維持される。そしてこの後に、上記切込み６１を横切るように形成されているロック片５４を、折曲げ線５５、５６によって屈曲させるように折曲げた状態で、天面側蓋板４５の先端側の挿入片４７の根元部分の切込み４８に挿入する。これによって天面側蓋板４５は閉じた状態でロックされる。
【００３２】
一方この包装箱の底部開口は底面側蓋板２０によって図６に示すように閉じられる。底面側蓋板２０を折曲げ線２１によって回動させて底部開口を閉塞する。そしてこの底面側蓋板２０の先端側の挿入片２３を背面側側板１２の下縁の内側であって、上記補助受板３２の連結板３０の内側に重なるように挿入する。そして背面側側板１２の下縁に連設された係止片２９を蓋板２０の挿入片２３の根元部分の切込み２４に挿入してロックする。
【００３３】
上記底面側蓋板２０をロックするための係止片２９はとくに図７および図８に示すように、その両側の部分が先端が細くなるような傾斜部７６を備えるとともに、この係止片２９の中間位置であって先端側に偏倚した位置には折曲げ線７７が横方向に形成されている。また傾斜部７６の終端側であって根元側の部分が逆傾斜部７８になっている。そして上記逆傾斜部７８の根元部分に円弧状切込み７９が形成される。このような係止片２９に対応して、図８に示すように、底面側蓋板２０と挿入片２３の境界の折曲げ線２２に形成される切込み２４は、その両端側の部分が折曲げ線２２に一致するとともに、中間部分が斜め部分８４を介して挿入片２３の先端側に偏倚した状態になっている。
【００３４】
ここで上記係止片２９と切込み２４の寸法関係について説明すると、図８に示すように、切込み２４の長さ方向の全長Ａが最も大きく、次いで係止片２９の傾斜部７６の終端側の部分の距離Ｐが大きく、次いで切込み２４の斜め部分の開始部分間の距離Ｂが大きく、次いで係止片２９の先端側の幅Ｑが大きく、切込み２４の斜め部分８４の終端間の距離Ｃが最も小さくなっている。
【００３５】
次にこのような係止片２９による蓋板２０のロックの動作を図９および図１０によって説明する。上記の構成に係る係止片２９を蓋板２０の切込み２４に挿入する場合には、蓋板２０によってこの包装箱の底部開口を閉じるように回動させながら、その先端側の挿入片２３を背面側側板１２の内側に挿入する。切込み２４が上述の如くその両側端にそれぞれ斜め部分８４を備えているために、挿入片２３を折曲げるとこの切込み２４によってスリット状係止孔８３が形成される。従ってこのようなスリット状係止孔８３に対して、折曲げ線７７のところで折曲げた状態で係止片２９の先端部を上記スリット状係止孔８３に挿入する。この動作を蓋の閉止動作と同期して行なうことにより、図１０に示すように係止片２９がスリット状係止孔８３内に完全に入込み、これによって底面側蓋板２０が完全に閉じられてロックされる。ここでとくに、係止片２９の逆傾斜部７８の終端の円弧状切込み７９が、底面側蓋板２０の切込み２４の終端の斜め部分８４の内側の側壁の部分に係合され、これによって係止片２９が脱落し難くなる。
【００３６】
このように本実施の形態の底面側蓋板２０のロックの構造は、係止片２９の両側に傾斜部７６を形成し、差込んだ後に係止片２９が脱落しないようにする。しかもこの係止片２９の根元側であってその両端に円弧状切込み７９を形成し、差込み動作中に誤って係止片２９を破損しないように防止している。ここでとくに係止片２９はその根元側の部分に、背面側側板１２に延びる切込みを備えていないが、係止片２９の中間位置に折曲げ線７７が形成されているために、図９に示すように、この折曲げ線７７のところで係止片２９を折曲げた状態で、蓋板２０を閉めながらスリット状係止孔８３に最後まで挿入することができる。そして係止片２９の逆傾斜部７８の終端の円弧状切込み７９が蓋板２０と挿入片２３との境界部に形成されるスリット状係止孔８３の両端の斜め部分８４に噛合い、これによってロックされる。
【００３７】
このような構成は、とくに係止片２９の根元側の部分に、背面側側板１２に延びる切込みを備えないために、係止片２９を引出すことが難しく、これによって再開封を困難にしている。すなわち底面側蓋板２０は、梱包した後においては原則として再開封する必要がないものであって、購入したユーザが間違えて底面側蓋板２０側から開梱しないようになる。従って中に収納された電子機器等の被梱包物品が脱落することがなくなる。また背面側側板１２に延びるように、係止片２９の根元部分に切込みを形成する必要がなくなるために、印刷やラベル貼付のための有効面積が拡大することになる。
【００３８】
以上本願発明を図示の実施の形態によって説明したが、本願発明は上記実施の形態によって限定されることなく、本願発明の技術的思想の範囲内において各種の変更が可能である。例えば上記実施の形態は、電子機器の梱包に用いる包装箱に関するものであるが、本願発明は、その他各種の物品を収納するための包装箱に広く適用することが可能である。また収納する物品の大きさや形状等に応じて、その寸法や形態について、各種の設計変更が可能である。
【産業上の利用可能性】
【００３９】
本願発明は、各種の物品を物流に供するための包装箱として広く利用可能である。
【図面の簡単な説明】
【００４０】
【図１】包装箱を組立てるための板紙の展開平面図である。
【図２】組立ての途中の動作を示す斜視図である。
【図３】上部開口の内側の組立てを示す斜視図である。
【図４】底面の内側の組立ての構造を示す斜視図である。
【図５】天面側蓋板のロックの構造を示す斜視図である。
【図６】底面側蓋板のロックの構造を示す斜視図である。
【図７】底面側蓋板をロックするための係止片の構造を示す斜視図である。
【図８】底面側蓋板を係止するための係止片とこの係止片が挿入される切込みとの関係を示す正面図である。
【図９】同要部斜視図である。
【図１０】係止片によって底面側蓋板がロックされた状態の要部斜視図である。
【図１１】従来の蓋板のロック構造を示す斜視図である。
【図１２】係止片の下部に切込みを形成することによる印刷可能範囲やラベル貼付範囲の面積の減少を示す要部斜視図である。
【符号の説明】
【００４１】
１…蓋板、２…側板、３…係止片、４…挿入片、５…スリット状係止孔、６…切込み、１０…板紙、１１…前面側側板、１２…背面側側板、１３…右側側板、１４…左側側板、１５、１６…折曲げ線、１７…接合片、２０…底面側側板、２１、２２…折曲げ線、２３…挿入片、２４…切込み、２８…折曲げ線、２９…係止片、３０…連結板、３１…折曲げ線、３２…補助受板、３３…折曲げ線、３４…支持片、３５…円形孔、３９…折曲げ線、４０…補助フラップ、４１…切欠き、４４…折曲げ線、４５…天面側蓋板、４６…折曲げ線、４７…挿入片、４８…切込み、５２…折曲げ線、５３…切込み、５４…ロック片、５５、５６…折曲げ線、５７…内蓋、５８…折曲げ線、５９…挿入片、６０…円形孔、６１…切込み、６３…折曲げ線、６４…板状体、６５〜６７…折曲げ線、６８…切込み、６９…折曲げ線、７０…切欠き、７３…凹部、７６…傾斜部、７７…折曲げ線、７８…逆傾斜部、７９…円弧状切込み、８０…折曲げ線、８３…スリット状係止孔、８４…斜め部分
【図１】
2007331832.tif 000003
【図２】
2007331832.tif 000004
【図３】
2007331832.tif 000005
【図４】
2007331832.tif 000006
【図５】
2007331832.tif 000007
【図６】
2007331832.tif 000008
【図７】
2007331832.tif 000009
【図８】
2007331832.tif 000010
【図９】
2007331832.tif 000011
【図１０】
2007331832.tif 000012
【図１１】
2007331832.tif 000013
【図１２】
2007331832.tif 000014